(57)【要約】【課題】走査電極と信号電極とを１つの駆動回路に接続するようにした液晶表示素子の表示領域周囲の額縁領域を狭くする。【解決手段】端子配列部を有する信号電極基板２に、この基板２の複数の信号電極６から端子配列部に導出された複数の信号電極端子配線６ａと、表示領域Ａとシール材３によるシール部との間の額縁領域Ｂ内の走査電極５の電極端の側方に走査電極基板１の複数の走査電極５にそれぞれ対応させて形成された複数のクロス部電極９及びこれらのクロス部電極９からその形成部とシール部の外縁との間の領域を通して端子配列部に導出された複数の走査電極端子配線１０とを設け、走査電極基板１に、複数のクロス部電極９にそれぞれ対応させて基板間隔に対応する高さに形成された複数の凸部１３を設け、複数の走査電極５の端部を複数の凸部１３上に延長させて形成し、これらの走査電極５の凸部１３上の延長部を複数のクロス部電極９に接触接続させた。【選択図】    図３
2004212423.tif 000002
【特許請求の範囲】
【請求項１】
行方向に沿う複数の走査電極が形成された第１の基板と、列方向の一端に前記第１の基板の外方に張出す端子配列部を有し、列方向に沿う複数の信号電極及びこれらの信号電極からそれぞれ前記端子配列部に導出された複数の信号電極端子配線が形成され、前記第１の基板と対向配置された第２の基板と、前記走査電極と信号電極とが対向する部分により形成される複数の画素がマトリックス状に配列する表示領域を取り囲んで設けられ、前記第１と第２の基板を接合する枠状のシール材と、前記第１と第２の基板間の前記シール材により囲まれた領域に設けられた液晶層とを備え、
前記第２の基板に、前記表示領域と前記シール材によるシール部との間の領域内の前記走査電極の電極端の側方に前記複数の走査電極にそれぞれ対応させて形成された複数のクロス部電極及びこれらのクロス部電極からその形成部と前記シール部の外縁との間の領域を通して前記端子配列部に導出された複数の走査電極端子配線とが設けられ、前記複数の走査電極の端部がそれぞれ前記複数のクロス部電極に対向する部分に延長され、前記複数のクロス部電極と前記複数の走査電極の延長部のいずれか一方が、それが形成された基板に前記複数のクロス部電極にそれぞれ対応させて前記第１と第２の基板間の間隔に対応する高さに形成された複数の凸部上に形成され、前記複数の走査電極の延長部が前記複数のクロス部電極にそれぞれ接触接続されていることを特徴とする液晶表示素子。
【請求項２】
クロス部電極に対応する凸部が設けられた基板に、表示領域に対応させて複数の色のカラーフィルタが設けられ、その基板側の複数の電極が前記カラーフィルタの上に形成されるとともに、前記凸部が前記複数の色のカラーフィルタを積み重ねたカラーフィルタ積層膜により形成されていることを特徴とする請求項１に記載の液晶表示素子。
【請求項３】
複数の走査電極端子配線の全てがシール部内を通して端子配列部に導出されていることを特徴とする請求項１に記載の液晶表示素子。
【請求項４】
第２の基板の端子配列部に複数の走査電極と信号電極との間に駆動電圧を印加する駆動回路素子の搭載部が設けられ、複数の信号電極端子配線と走査電極端子配線がそれぞれ前記端子配列部の駆動回路搭載部まで導出され、その導出端に前記駆動回路素子との接続端子が形成されていることを特徴とする請求項１〜３のいずれかに記載の液晶表示素子。
【発明の詳細な説明】
【０００１】
【発明の属する技術分野】
この発明は単純マトリックス型の液晶表示素子に関する。
【０００２】
【従来の技術】
単純マトリックス型の液晶表示素子は、行方向に沿う複数の走査電極が形成された第１の基板と、列方向の一端に前記第１の基板の外方に張出す端子配列部を有し、列方向に沿う複数の信号電極及びこれらの信号電極からそれぞれ前記端子配列部に導出された複数の信号電極端子配線が形成され、前記第１の基板と対向配置された第２の基板と、前記走査電極と信号電極とが対向する部分により形成される複数の画素がマトリックス状に配列する表示領域を取り囲んで設けられ、前記第１と第２の基板を接合する枠状のシール材と、前記第１と第２の基板間の前記シール材により囲まれた領域に設けられた液晶層とにより構成されている。
【０００３】
この単純マトリックス型液晶表示素子には、第２の基板に設けられた複数の走査電極と、第２の基板に設けられた複数の信号電極とをそれぞれ別の駆動回路に接続するようにしたものと、前記複数の走査電極と信号電極とを１つの駆動回路に接続するようにしたものとがある。
【０００４】
後者の液晶表示素子は、従来、信号電極が設けられた第２の基板の列方向の一端（信号電極の電極端側の端部）に前記第１の基板の外方に張出す端子配列部を形成し、この基板に、複数の信号電極から前記端子配列部に導出された複数の信号電極端子配線と、シール材によるシール部内に形成された複数のクロス部電極及びこれらのクロス部電極から前記端子配列部に導出された複数の走査電極端子配線とを設け、前記第１の基板に設けられた複数の走査電極に前記複数のクロス部電極にそれぞれ対向する延長部を形成し、これらの走査電極の延長部を前記シール部内において複数の導電性クロス材を介して前記複数のクロス部電極に接続した構成とされている。
【０００５】
この液晶表示素子には、前記複数のクロス部電極を走査電極の電極端の側方のシール部内に形成し、前記複数の走査電極端子配線を、前記表示領域と前記シール部との間の額縁領域を通して端子配列部に導出したもの（特許文献１参照）と、前記複数のクロス部電極を端子配列部に沿ったシール部内に形成し、複数の走査電極の延長部を前記額縁領域を通して導いて前記複数のクロス部電極にそれぞれ対向させたもの（特許文献２参照）とがある。
【０００６】
【特許文献１】
特開平１１−１８３９１４号公報
【０００７】
【特許文献２】
特開２００１−１５４５９９号公報
【０００８】
【発明が解決しようとする課題】
しかし、上記従来の液晶表示素子は、複数のクロス部電極をシール材によるシール部内に形成し、走査電極端子配線または走査電極の延長部を、表示領域とシール部との間の額縁領域を通して形成したものであるため、前記額縁領域の幅を、前記走査電極端子配線または走査電極の延長部の線数に応じて充分に広くする必要がある。
【０００９】
そのため、複数の走査電極と信号電極とを１つの駆動回路に接続するようにした従来の液晶表示素子は、表示領域の周囲の額縁領域が広くなりすぎるという問題をもっている。
【００１０】
この発明は、複数の走査電極と信号電極とを１つの駆動回路に接続するようにしたものでありながら、表示領域の周囲の額縁領域を狭くすることができ、しかも第２の基板に設けられた複数のクロス部電極に第１の基板に設けられた複数の走査電極を簡単な構造で接続することができる液晶表示素子を提供することを目的としたものである。
【００１１】
【課題を解決するための手段】
この発明の液晶表示素子は、行方向に沿う複数の走査電極が形成された第１の基板と、列方向の一端に前記第１の基板の外方に張出す端子配列部を有し、列方向に沿う複数の信号電極及びこれらの信号電極からそれぞれ前記端子配列部に導出された複数の信号電極端子配線が形成され、前記第１の基板と対向配置された第２の基板と、前記走査電極と信号電極とが対向する部分により形成される複数の画素がマトリックス状に配列する表示領域を取り囲んで設けられ、前記第１と第２の基板を接合する枠状のシール材と、前記第１と第２の基板間の前記シール材により囲まれた領域に設けられた液晶層とを備え、
前記第２の基板に、前記表示領域と前記シール材によるシール部との間の領域内の前記走査電極の電極端の側方に前記複数の走査電極にそれぞれ対応させて形成された複数のクロス部電極及びこれらのクロス部電極からその形成部と前記シール部の外縁との間の領域を通して前記端子配列部に導出された複数の走査電極端子配線とが設けられ、前記複数の走査電極の端部がそれぞれ前記複数のクロス部電極に対向する部分に延長され、前記複数のクロス部電極と前記複数の走査電極の延長部のいずれか一方が、それが形成された基板に前記複数のクロス部電極にそれぞれ対応させて前記第１と第２の基板間の間隔に対応する高さに形成された複数の凸部上に形成され、前記複数の走査電極の延長部が前記複数のクロス部電極にそれぞれ接触接続されていることを特徴とする。
【００１２】
この液晶表示素子は、複数の画素がマトリックス状に配列する表示領域とシール材によるシール部との間の領域、つまり前記表示領域の周囲の額縁領域内の前記走査電極の電極端の側方に前記複数の走査電極にそれぞれ対応させて複数のクロス部電極を形成しているため、前記シール部内にクロス部電極を形成した従来の液晶表示素子のように、走査電極端子配線または走査電極の延長部を前記シール部を避けて形成する必要はない。
【００１３】
そして、この液晶表示素子では、複数の走査電極端子配線を前記クロス部電極の形成部と前記シール部の外縁との間の領域を通して前記端子配列部に導出しているため、前記シール部内を前記走査電極端子配線の引き回しスペースとして利用することができ、したがって、前記表示領域とシール部との間の額縁領域を狭くすることができる。
【００１４】
しかも、この液晶表示素子は、前記第１の基板に形成された複数の走査電極の端部をそれぞれ前記複数のクロス部電極に対向する部分に延長し、前記複数のクロス部電極と前記複数の走査電極の延長部のいずれか一方を、それが形成された基板に前記複数のクロス部電極にそれぞれ対応させて前記第１と第２の基板間の間隔に対応する高さに形成された複数の凸部上に形成し、前記複数の走査電極の延長部を前記複数のクロス部電極にそれぞれ接触接続させているため、前記複数の走査電極を前記複数のクロス部電極に簡単な構造で接続することができる。
【００１５】
このように、この発明の液晶表示素子は、端子配列部を有する第２の基板に、この第２の基板に形成された複数の信号電極から前記端子配列部に導出された複数の信号電極端子配線と、複数の画素がマトリックス状に配列する表示領域とシール材によるシール部との間の額縁領域内の前記走査電極の電極端の側方に前記複数の走査電極にそれぞれ対応させて形成された複数のクロス部電極及びこれらのクロス部電極からその形成部と前記シール部の外縁との間の領域を通して前記端子配列部に導出された複数の走査電極端子配線とを設け、前記複数の走査電極の端部をそれぞれ前記複数のクロス部電極に対向する部分に延長し、前記複数のクロス部電極と前記複数の走査電極の延長部のいずれか一方を、それが形成された基板に前記複数のクロス部電極にそれぞれ対応させて前記第１と第２の基板間の間隔に対応する高さに形成された複数の凸部上に形成し、前記複数の走査電極の延長部を前記複数のクロス部電極にそれぞれ接触接続させることにより、複数の走査電極と信号電極とを１つの駆動回路に接続するようにしたものでありながら、表示領域の周囲の額縁領域を狭くすることができ、しかも第２の基板に設けられた複数のクロス部電極に第１の基板に設けられた複数の走査電極を簡単な構造で接続することができるようにしたものである。
【００１６】
この発明をカラー画像を表示する液晶表示素子に適用する場合、前記クロス部電極に対応する前記凸部が設けられた基板に、前記表示領域に対応させて複数の色のカラーフィルタを設け、その基板側の複数の電極を前記カラーフィルタの上に形成するとともに、前記凸部を前記複数の色のカラーフィルタを積み重ねたカラーフィルタ積層膜により形成するのが好ましい。
【００１７】
また、前記複数の走査電極端子配線は、その全てを前記シール部内を通して端子配列部に導出するのが望ましい。
【００１８】
さらに、この液晶表示素子は、前記第２の基板の端子配列部に複数の走査電極と信号電極との間に駆動電圧を印加する駆動回路素子の搭載部を設け、前記複数の信号電極端子配線と走査電極端子配線をそれぞれ前記端子配列部の駆動回路搭載部まで導出した構成とするのが望ましい。
【００１９】
【発明の実施の形態】
図１〜図３はこの発明の第１の実施例を示しており、図１は液晶表示素子の斜視図、図２は前記液晶表示素子の第２の基板の一部分の拡大平面図、図３は前記液晶表示素子の一部分の拡大断面図である。
【００２０】
この液晶表示素子は単純マトリックス型のものであり、行方向に沿う複数の透明な走査電極５が形成された第１の透明基板（以下、走査電極基板と言う）１と、列方向の一端に前記走査電極基板１の外方に張出す端子配列部２ａを有し、列方向に沿う複数の透明な信号電極６及びこれらの信号電極６からそれぞれ前記端子配列部２ａに導出された複数の信号電極端子配線６ａが形成され、前記走査電極基板１と対向配置された第２の透明基板（以下、信号電極基板と言う）２と、前記走査電極５と信号電極６とが対向する部分により形成される複数の画素がマトリックス状に配列する表示領域Ａを取り囲んで設けられ、前記走査電極基板１と信号電極基板２とを接合する枠状のシール材３と、これらの一対の基板１，２間の前記シール材３により囲まれた領域に設けられた液晶層４とを備えている。
【００２１】
この液晶表示素子は、複数の色、例えば赤、緑、青の３色のカラーフィルタ７Ｒ，７Ｇ，７Ｂを備えたカラー画像表示素子であり、前記赤、緑、青のカラーフィルタ７Ｒ，７Ｇ，７Ｂは、前記走査電極基板１の信号電極基板２と対向する内面に、前記複数の画素がマトリックス状に配列する表示領域Ａに対応させて、各画素列毎に交互に並べて設けられ、その上に前記複数の走査電極５が形成されている。
【００２２】
さらに、前記走査電極基板１の内面には、前記表示領域Ａと前記シール材３によるシール部との間の領域、つまり前記表示領域Ａの周囲の額縁領域Ｂの全周に対応させて遮光膜８が設けられており、この遮光膜８は、例えば黒色の顔料を添加した樹脂膜により前記カラーフィルタ７Ｒ，７Ｇ，７Ｂと同じ膜厚に形成されている。なお、この実施例では、前記遮光膜８を前記額縁領域Ｂの外周縁部を除いて形成している。
【００２３】
また、前記信号電極基板２の走査電極基板１と対向する内面には、前記表示領域Ａと前記シール材３によるシール部との間の額縁領域Ｂ内の走査電極５の電極端の側方に前記複数の走査電極５にそれぞれ対応させて形成された複数のクロス部電極９及びこれらのクロス部電極９からそれぞれその形成部と前記シール部の外縁との間の領域を通して前記端子配列部２ａに導出された複数の走査電極端子配線１０とが設けられている。
【００２４】
この実施例では、前記走査電極５の一端側の額縁領域Ｂ内に、１つ置きの走査電極（例えば奇数番の走査電極）６にそれぞれ対応する複数のクロス部電極９を、各走査電極５の延長線上に位置させて１列に配列形成し、前記走査電極５の他端側の額縁領域Ｂ内に、他の１つ置きの走査電極（例えば偶数番の走査電極）６にそれぞれ対応する複数のクロス部電極９を、各走査電極５の延長線上に位置させて１列に配列形成している。
【００２５】
前記複数のクロス部電極９からそれぞれ導出された前記複数の走査電極端子配線１０はそれぞれ、その全てが前記クロス部電極９から前記シール部の方向に導かれ、さらに前記シール部内を通して前記シール部の端子配列部２ａに沿う辺の外縁から前記端子配列部２ａに導出されている。
【００２６】
また、この液晶表示素子は、図１に示したように、前記端子配列部２ａに複数の走査電極５と信号電極６との間に駆動電圧を印加する図示しない駆動回路素子（ＩＣチップまたはＬＳＩチップ等）の搭載部１１を設けたものであり、前記複数の信号電極端子配線６ａと走査電極端子配線１０はそれぞれ前記端子配列部２ａの駆動回路搭載部１１まで導出され、、その導出端に、前記駆動回路素子の複数の出力端子にそれぞれ接続される接続端子（図示せず）が形成されている。
【００２７】
さらに、前記端子配列部２ａには、図示しない外部回路からの制御信号を前記駆動回路素子に供給するための複数の入力配線１２が前記端子配列部２ａの外側縁から前記駆動回路搭載部１１に導いて設けられており、これらの入力配線１２の駆動回路搭載部１１側の端部に、前記駆動回路素子の複数の入力端子にそれぞれ接続される接続端子（図示せず）が形成されている。
【００２８】
一方、前記走査電極基板１の内面には、前記複数のクロス部電極９にそれぞれ対応させて一対の基板１，２の内面間の間隔（液晶層厚）に対応する高さに形成された複数の凸部１３が設けられている。
【００２９】
この複数の凸部１３は、前記赤、緑、青の３色のカラーフィルタ７Ｒ，７Ｇ，７Ｂを積み重ねたカラーフィルタ積層膜により形成されている。この凸部１３は、走査電極５と信号電極６とが対向する１つの画素の面積と同程度の平面積を有する角柱状に形成されており、前記クロス部電極９は、一対の基板１，２を前記シール材３を介して接合する際の両基板１，２の位置合わせ精度の誤差を考慮して、前記凸部１３の平面積よりも若干大きい面積に形成されている。
【００３０】
そして、前記走査電極基板１の内面（表示領域Ａに対応するカラーフィルタ７Ｒ，７Ｇ，７Ｂの上）に設けられた前記複数の走査電極５の端部はそれぞれ、前記額縁領域Ｂに設けられた遮光膜８上を経て前記カラーフィルタ積層膜からなる凸部１３の上に延長されている。
【００３１】
なお、図では省略しているが、前記一対の基板１，２の内面の前記表示領域Ａには前記電極６，５を覆って、前記液晶層４の液晶分子を予め定められた配向状態に配向させるための配向膜が設けられている。
【００３２】
また、前記枠状のシール材３は、エポキシ系樹脂等の熱硬化性樹脂により形成されており、一対の基板１，２は、そのいずれか第２の基板の内面に前記シール材３を印刷し、第１の基板の内面上にガラスビーズ等からなるギャップ材１４を散布して重ね合わせ、加圧により両基板１，２の間隔を前記ギャップ材１４により規定される値に調整した後に前記シール材３を加熱により硬化させることにより、前記シール材３を介して接合されている。
【００３３】
そして、前記複数の走査電極５の前記凸部（カラーフィルタ積層膜）１３上に形成された延長部５ａは、前記一対の基板１，２の間隔を前記ギャップ材１４により規定される値に調整することによりクロス部電極９に接触され、前記シール材３の硬化時の収縮により前記クロス部電極９にさらに強く接触されて、前記クロス部電極９に良好な導通性で接続されている。
【００３４】
なお、前記シール材３には、前記端子配列部２ａとは反対側の辺を部分的に欠落させて形成された液晶注入口（図示せず）が設けられており、前記液晶層４は、前記一対の基板１，２を前記シール材３を介して接合した後に、真空注入法により前記液晶注入口から液晶を注入することにより形成され、前記液晶注入口は液晶の注入後に封止されている。
【００３５】
この液晶表示素子は、複数の画素がマトリックス状に配列する表示領域Ａとシール材３によるシール部との間の額縁領域Ｂ内の走査電極５の電極端の側方に複数の走査電極５にそれぞれ対応させて複数のクロス部電極９を形成しているため、前記シール部内にクロス部電極を形成した従来の液晶表示素子のように、走査電極端子配線または走査電極の延長部をシール部を避けて形成する必要はない。
【００３６】
すなわち、従来の液晶表示素子は、シール部内に複数のクロス部電極を形成し、前記シール部内において前記複数のクロス部電極と複数の走査電極の延長部とをそれぞれクロス材により接続しているため、クロス部電極を走査電極の電極端の側方のシール部内に形成し、前記クロス部電極から端子配列部に走査電極端子配線を導出している液晶表示素子では、前記走査電極端子配線を、その配線が導出されたクロス部電極以外のクロス部電極と短絡させないように前記シール部を避けて額縁領域内を通して形成しなければならず、また、複数のクロス部電極を端子配列部に沿ったシール部内に形成し、走査電極の延長部を前記クロス部電極まで導いている液晶表示素子では、走査電極の延長部を、それと接続されるクロス材以外のクロス材と短絡させないように前記シール部を避けて額縁領域内を通して形成しなければならない。
【００３７】
それに対し、上記実施例の液晶表示素子は、クロス部電極９を走査電極５の電極端の側方に形成したものであるが、前記クロス部電極９を表示領域Ａとシール材３によるシール部との間の額縁領域Ｂ内に形成しているため、前記シール部内には走査電極端子配線１０と短絡する導電体は無く、したがって、前記クロス部電極９から端子配列部２ａに導出する走査電極端子配線１０を前記シール部を避けて形成する必要はない。
【００３８】
そして、この液晶表示素子では、複数の走査電極端子配線１０を前記クロス部電極９の形成部と前記シール部の外縁との間の領域を通して前記端子配列部２ａに導出しているため、前記シール部内を前記走査電極端子配線１０の引き回しスペースとして利用することができ、したがって、複数の走査電極端子配線１０を前記シール部内を通して形成し、前記表示領域Ａとシール部との間の額縁領域Ｂを狭くすることができる。
【００３９】
この実施例では、複数の走査電極端子配線１０の全てを前記シール部内を通して端子配列部２ａに導出しているため、前記額縁領域Ｂをより狭くすることができる。
【００４０】
しかも、この液晶表示素子は、前記走査電極基板１の内面に、信号電極基板２の内面に形成された複数のクロス部電極９にそれぞれ対応させて、一対の基板１，２の内面間の間隔に対応する高さに形成された複数の凸部１３を設け、前記走査電極基板１に形成された複数の走査電極５の端部をそれぞれ前記複数の凸部１３上に延長させて形成することにより、これらの走査電極５の前記凸部１３上の延長部５ａを前記複数のクロス部電極９にそれぞれ接触接続させているため、前記複数の走査電極５を前記複数のクロス部電極９に簡単な構造で接続することができる。
【００４１】
このように、この液晶表示素子は、複数の走査電極５と信号電極６とを１つの駆動回路に接続するようにしたものでありながら、表示領域Ａの周囲の額縁領域Ｂを狭くすることができ、しかも信号電極基板２に設けられた複数のクロス部電極９に走査電極基板１に設けられた複数の走査電極５を簡単な構造で接続することができる。
【００４２】
また、上記実施例の液晶表示素子は、前記走査電極基板１の内面に、表示領域Ａに対応させて複数の色のカラーフィルタ７Ｒ．７Ｇ，７Ｂを設け、複数の走査電極５を前記カラーフィルタ７Ｒ．７Ｇ，７Ｂの上に形成するとともに、複数のクロス部電極９にそれぞれ対応する複数の凸部１３を、前記複数の色のカラーフィルタ７Ｒ．７Ｇ，７Ｂを積み重ねたカラーフィルタ積層膜により形成しているため、前記走査電極基板１の表示領域Ａに複数の色のカラーフィルタ７Ｒ．７Ｇ，７Ｂを順次形成する工程を利用して前記凸部１３を形成することができ、したがって液晶表示素子を少ない工程数で低コストに製造することができる。
【００４３】
さらに上記実施例の液晶表示素子は、信号電極基板２の端子配列部２ａに複数の走査電極５と信号電極６との間に駆動電圧を印加する駆動回路素子の搭載部１１を設け、複数の信号電極端子配線６ａと走査電極端子配線１０をそれぞれ前記端子配列部２ａの駆動回路搭載部１１まで導出するとともに、前記端子配列部２ａに外部回路からの制御信号を前記駆動回路素子に供給するための複数の入力配線１２を前記端子配列部２ａの外側縁から前記駆動回路搭載部１１に導いて設けているため、前記駆動回路素子を、その複数の出力端子を前記複数の信号電極端子配線６ａ及び走査電極端子配線１０に接続し、入力端子を前記複数の入力配線１２に接続して前記駆動回路搭載部１１に搭載することにより、液晶表示素子とその駆動回路とからなる液晶表示装置を構成することができる。
【００４４】
なお、上記実施例では、表示領域Ａに対応する複数の色のカラーフィルタ７Ｒ，７Ｇ，７Ｂと、信号電極基板２の複数のクロス部電極９にそれぞれ対応する複数の凸部１３とを走査電極基板１に設けているが、前記カラーフィルタ７Ｒ，７Ｇ，７Ｂと、カラーフィルタ積層膜からなる前記複数の凸部１３とを信号電極基板２に設け、前記複数のクロス部電極９をそれぞれ前記複数の凸部１３上に形成し、複数の走査電極５の延長部５ａを前記走査電極基板１の基板面に形成して、これらの走査電極５の延長部５ａを前記複数のクロス部電極９にそれぞれ接触接続させてもよい。
【００４５】
また、上記実施例の液晶表示素子は、一対の基板１，２の間隔をガラスビーズ等からなるギャップ材１４により規定したものであるが、前記一対の基板１，２の間隔は、前記走査電極基板１の内面に複数の柱状スペーサを設けて規定してもよく、その場合は、複数のクロス部電極９にそれぞれ対応する複数の凸部を前記柱状スペーサと同じ材料により形成してもよい。
【００４６】
図４はこの発明の第２の実施例を示す液晶表示素子の一部分の断面図であり、この実施例の液晶表示素子は、例えば走査電極基板１の内面の表示領域Ａに、一対の基板１，２の間隔を規定するための複数の柱状スペーサ１５を感光性樹脂により適当ピッチで設けるとともに、この走査電極基板１の内面の額縁領域Ｂに、信号電極基板２に設けられた複数のクロス部電極９にそれぞれ対応させて、前記柱状スペーサ１５と同じ感光性樹脂１５ａにより形成された複数の凸部１６を設け、その上に複数の走査電極５の延長部５ａを形成したものである。
【００４７】
なお、この実施例では、前記複数の凸部１６を走査電極基板１に設けているが、前記複数の凸部１６を信号電極基板２に設け、これらの凸部１６の上にそれぞれクロス部電極９を形成してもよい。
【００４８】
また、上記実施例では、複数のクロス部電極９を、走査電極５の一端側の額縁領域Ｂ内と他端側の額縁領域Ｂ内とに配分して配列形成しているが、全てのクロス部電極９を前記走査電極５の一端側と他端側のいずれか一方の額縁領域Ｂ内に配列形成し、全ての走査電極端子配線１０を、前記クロス部電極９の形成部とシール部の外縁との間の領域を通して端子配列部２ａに導出してもよい。
【００４９】
なお、上記実施例のように複数のクロス部電極９を走査電極５の一端側の額縁領域Ｂ内と他端側の額縁領域Ｂ内とに配分して配列形成する場合も、全てのクロス部電極９を前記走査電極５の一端側と他端側のいずれか一方の額縁領域Ｂ内に配列形成する場合も、前記クロス部電極９は、１列に限らず、隣り合うクロス部電極９同士を行方向（走査電極５の長さ方向）に画素ピッチと同程度ずらして２〜４列程度以下の列数で複数列に配列形成してもよい。
【００５０】
さらに、上記実施例では、前記複数のクロス部電極９からそれぞれ導出された走査電極端子配線１０の全てをシール部内を通して端子配列部２ａに導出しているが、走査電極端子配線１０の数（走査電極数）が多い場合は、そのうちの一部の走査電極端子配線１０を前記シール部内を通して端子配列部２ａに導出し、他の走査電極端子配線１０を前記クロス部電極９の形成部と前記シール部との間の領域を通して端子配列部２ａに導出してもよい。
【００５１】
【発明の効果】
この発明の液晶表示素子は、端子配列部を有する第２の基板に、この第２の基板に形成された複数の信号電極から前記端子配列部に導出された複数の信号電極端子配線と、複数の画素がマトリックス状に配列する表示領域とシール材によるシール部との間の額縁領域内の前記走査電極の電極端の側方に前記複数の走査電極にそれぞれ対応させて形成された複数のクロス部電極及びこれらのクロス部電極からその形成部と前記シール部の外縁との間の領域を通して前記端子配列部に導出された複数の走査電極端子配線とを設け、前記複数の走査電極の端部をそれぞれ前記複数のクロス部電極に対向する部分に延長し、前記複数のクロス部電極と前記複数の走査電極の延長部のいずれか一方を、それが形成された基板に前記複数のクロス部電極にそれぞれ対応させて前記第１と第２の基板間の間隔に対応する高さに形成された複数の凸部上に形成し、前記複数の走査電極の延長部を前記複数のクロス部電極にそれぞれ接触接続させたものであるため、複数の走査電極と信号電極とを１つの駆動回路に接続するようにしたものでありながら、表示領域の周囲の額縁領域を狭くすることができ、しかも第２の基板に設けられた複数のクロス部電極に第１の基板に設けられた複数の走査電極を簡単な構造で接続することができる。
【００５２】
この発明をカラー画像を表示する液晶表示素子に適用する場合、前記クロス部電極に対応する前記凸部が設けられた基板に、前記表示領域に対応させて複数の色のカラーフィルタを設け、その基板側の複数の電極を前記カラーフィルタの上に形成するとともに、前記凸部を前記複数の色のカラーフィルタを積み重ねたカラーフィルタ積層膜により形成するのが好ましく、このようにすることにより、前記第１の基板の表示領域に前記複数の色のカラーフィルタを順次形成する工程を利用して前記凸部を形成し、液晶表示素子を少ない工程数で低コストに製造することができる。
【００５３】
また、前記複数の走査電極端子配線は、その全てを前記シール部内を通して端子配列部に導出するのが望ましく、このようにすることにより、前記額縁領域をより狭くすることができる。
【００５４】
さらに、この液晶表示素子は、前記第２の基板の端子配列部に複数の走査電極と信号電極との間に駆動電圧を印加する駆動回路素子の搭載部を設け、前記複数の信号電極端子配線と走査電極端子配線をそれぞれ前記端子配列部の駆動回路搭載部まで導出した構成とするのが望ましく、このようにすることにより、前記駆動回路素子を、その複数の端子を前記複数の信号電極端子配線及び走査電極端子配線に接続して前記駆動回路搭載部に搭載し、液晶表示素子とその駆動回路とからなる液晶表示装置を構成することができる。
【図面の簡単な説明】
【図１】この発明の第１の実施例を示す液晶表示素子の斜視図。
【図２】前記液晶表示素子の第２の基板の一部分の拡大平面図。
【図３】前記液晶表示素子の一部分の拡大断面図。
【図４】この発明の第２の実施例を示す液晶表示素子の一部分の断面図。
【符号の説明】
１，２…基板、２ａ端子配列部、３…シール材、４…液晶層、５…走査電極、５ａ…延長部、６…信号電極、６ａ…信号電極端子配線、７Ｒ，７Ｇ，７Ｂ…カラーフィルタ、８…遮光膜、９…クロス部電極、１０…走査電極端子配線、１１…駆動回路搭載部、１２…入力配線、１３，１６…凸部、Ａ…表示領域、Ｂ…額縁領域。
【図１】
2004212423.tif 000003
【図２】
2004212423.tif 000004
【図３】
2004212423.tif 000005
【図４】
2004212423.tif 000006